(57)【要約】      （修正有）【課題】水の使用量を極力抑えつつ、効率良く室外機の熱交換器を冷却できる、構成が簡易で操作が容易な室外機用冷却装置を提供する。【解決手段】室外機５０の吸気口側に、所定の距離を有して枠体１０を固定し、前記枠体１０に、内部に補強材を設け、表面に多数の小孔を穿設したホース２０を固定し、前記ホース２０の一端をパイプ３０に連結し、かつ他端を封止し、前記パイプ３０の一端を水道６０に連結し、パイプ３０の一端と水道６０の間に、電磁弁と不純物除去装置７０を設けた。【選択図】図１
0003175348.tif 000002
【実用新案登録請求の範囲】
【請求項１】
冷気調和装置の室外機を冷却する室外機用冷却装置において、前記室外機の吸気口側に枠体を固定し、前記枠体に、多数の小孔を穿設したホースを固定し、前記ホースの一端を水道に連結し、前記水道より送られてきた水を小孔より噴出させて室外機を冷却することを特徴とする室外機用冷却装置。
【請求項２】
冷気調和装置の室外機を冷却する室外機用冷却装置において、前記室外機の吸気口側に、所定の距離を有して枠体を固定し、前記枠体に、内部に補強材を設け、表面に多数の小孔を穿設したホースを固定し、前記ホースの一端をパイプに連結し、かつ他端を封止し、前記パイプの一端を水道に連結し、前記水道よりホースに送られてきた水を小孔より噴出させて室外機を冷却することを特徴とする室外機用冷却装置。
【請求項３】
前記ホースと水道との間に電磁弁を取り付けたことを特徴とする請求項１又は２記載の室外機用冷却装置。
【請求項４】
前記ホースの一端と水道の間に、不純物除去装置を設けたことを特徴とする請求項１又は３記載の室外機用冷却装置。
【請求項５】
前記パイプの一端と水道の間に、不純物除去装置を設けたことを特徴とする請求項２又は３記載の室外機用冷却装置。
【考案の詳細な説明】
【技術分野】
【０００１】
本考案は、冷気調和装置の室外機を効率良く冷却するための室外機用冷却装置に関するものである。
【背景技術】
【０００２】
従来の室外機用冷却装置は、特許文献１に提案されているように、空気調和機の室外機に設けた散水器から室外機の熱交換器に散水して冷却するものがあった。しかし、この室外機用冷却装置は放熱用フィンに直接水をかけて冷却するため、冷却効率が悪く、水を多量に使用するため水の供給の制御手段を設けなくてはならないという問題があった。
【０００３】
そこで特許文献２において、水の使用量を抑えて効率良く室外機の熱交換器を冷却するために、噴霧ノズルを備えた冷却装置が提案されている。
この冷却装置は、貯水タンク等からの水を噴霧する噴霧ノズルを室外機裏面の空気吸い込み口側に、噴霧方向が空気吸い込み方向とほぼ直交するように配置する。そして、水は送水ポンプにより噴霧ノズルに供給されると共に加圧された空気も供給され、噴霧ノズルは両者を混合して霧状に噴霧し、吸い込み空気と一緒に室外機に流入させて熱交換器を冷却させるものである。
【先行技術文献】
【特許文献】
【０００４】
【特許文献１】特開平５−２２３３６４号公報
【特許文献２】特開２０１１−４７６０１号公報
【０００５】
前記特許文献２記載の冷却装置は、噴霧ノズルが必要となるが、噴霧ノズルを使用すると、水や空気の加圧装置が必要となり装置全体が大がかりとなりコストも嵩む。その上、ノズルの目詰まりを防止するために交換の必要も生じる等、装置のメンテナンスが複雑となるという問題があった。
【考案の概要】
【考案が解決しようとする課題】
【０００６】
本考案は、上述の従来の冷却装置の問題点を克服したものであり、室外機の吸気口側に設けたホースから噴出するという簡易な構成によって、水の使用量を少なくして、室外機の熱交換器を効率よく冷却できる冷却装置を提供することを目的とする。
【課題を解決するための手段】
【０００７】
本考案の要旨とするところは、冷気調和装置の室外機を冷却する室外機用冷却装置において、前記室外機の吸気口側に枠体を固定し、前記枠体に、多数の小孔を穿設したホースを固定し、前記ホースの一端を水道に連結し、前記水道より送られてきた水を小孔より噴出させて室外機を冷却することを特徴とする室外機用冷却装置である。
【０００８】
本考案の要旨とするところは、冷気調和装置の室外機を冷却する室外機用冷却装置において、前記室外機の吸気口側に、所定の距離を有して枠体を固定し、前記枠体に、内部に補強材を設け、表面に多数の小孔を穿設したホースを固定し、前記ホースの一端をパイプに連結し、かつ他端を封止し、前記パイプの一端を水道に連結し、前記水道よりホースに送られてきた水を小孔より噴出させて室外機を冷却することを特徴とする室外機用冷却装置である。
【０００９】
本考案の要旨とするところは、前記ホースと水道との間に電磁弁を取り付けたことを特徴とする室外機用冷却装置である。
【００１０】
本考案の要旨とするところは、前記ホースの一端と水道の間に、不純物除去装置を設けたことを特徴とする室外機用冷却装置である。
【００１１】
本考案の要旨とするところは、パイプの一端と水道の間に、不純物除去装置を設けたことを特徴とする室外機用冷却装置である。
【考案の効果】
【００１２】
請求項１の考案によれば、簡易な機構であり操作も簡単でありコストも低く抑えられるというメリットがある。また、ホースの小孔から噴出する水道水が室外機を冷やすため冷却効果が高く、使用する水にむだがなく経済的であると共に室外機の使用する消費電力を低下させることができる。
また、ホースの長さを１ｍ未満から１００ｍまで調整することが可能であるので、水の噴出範囲は自由に設定できる。
【００１３】
請求項２の考案によれば、前記請求項１の効果に加え、ホース内部に補強材を備えているため、ホースが安定して枠体に取り付けられると共に、前記ホースの他端を封止してあるため、水が無駄に排出されることもない。
【００１４】
請求項３の考案によれば、電磁弁の作用で、室外機の作動時、あるいは外気が一定の温度を超えたとき、あるいは内蔵タイマーにより設定した時間だけオンとなり、ホースに水が送られ、室外機に水が噴出されるから、装置の作動に無駄がなく省エネルギー効果を有する。
【００１５】
請求項４及び請求項５の考案によれば、ホースと水道あるいはパイプと水道の間に不純物除去装置を設けたため、水道水に含まれるカルキやその他の不純物を除去して不純物がフィンに付着することを防止できる。その結果、フィンが保護され長き使用に耐えると共に、フィンの熱交換効率の低下を防止することができるのである。
【図面の簡単な説明】
【００１６】
【図１】本考案の実施形態１を室外機に固定した状態の正面図である。
【図２】本考案の実施形態１の一部を切り欠いた左側面図である。
【図３】本考案の実施形態１の一部を切り欠いた右側面図である。
【図４】本考案の実施形態１の一部を拡大した模式図であり、（Ａ）は側面図、（Ｂ）は背面図である。
【図５】本考案の実施形態２の一部切り欠き正面図である。
【考案を実施するための形態】
【００１７】
図１乃至図４に基づいて本考案の実施形態１を説明する。
実施形態１は２台の冷却室外機である室外機５０を並列に配置している。これらの室外機５０は、背面に吸気口５１、上面に排気口５２を設け、さらに内部にフィン５４を備えた熱交換器５３と空気排出用のファン５５を配備している。
【００１８】
室外機用冷却装置１は、木製の横棒１１と縦棒１２で長方形の枠体１０を構成し、この枠体１０内に補強用の２本の縦棒１３を固定して、各室外機５０の背面に一定距離を有して、支持具１４によって取り付けられている。
なお、補強用の縦棒１３の数は、枠体１０の大きさやホース２０の長さなどによって適宜設定し、その材質も金属、プラスチックなどを選択できる。
【００１９】
ホース２０は、Ｕ字状の留め具１５によって前記縦棒１２、１３に固定されている。このホース２０は、噴出された水が室外機のフィン５４に達して効率よく冷却できるように、室外機５０から一定の距離、例えば本実施形態では１０ｃｍ程度を有して配置されている。
【００２０】
ホース２０の表面には、多数の小孔２１が穿設されている。小孔２１は、水がホース２０に対して水平、少し斜め上方向あるいは下方向に向かうように構成されているが、小孔２１の数や大きさあるいは位置等は、水が室外機５０に効率よく噴出されるように適宜設定する。
【００２１】
ホース２０の内部には、補強用の鉄棒からなる補強材２２が設けてある。そして、無駄な水の排出を防ぐためにホース２０の端部をストッパー２３で挟んで封止している。
なお、上記補強材２２の材質や長さ、あるいはストッパー２３の形状や大きさ等は本実施形態に限定されず他の構成を採用できる。
【００２２】
上記ホース２０の一端は、パイプ３０と連結しているが、このパイプ３０の一端は水道６０と連結している。
【００２３】
パイプ３０の一端と水道６０の間に不純物除去装置７０を設けている。この不純物除去装置７０によって、水道水に含まれたカルキ等の不純物が除去されるのである。この不純物除去装置７０は公知の装置を利用できる。
【００２４】
次に、本実施形態の作用について説明する。
水道６０よりパイプ３０に水が注入されると、不純物除去装置７０を通過した後、パイプ３０を経由してホース２０に加圧水が注水され、ホース２０と補強材２２の間に入っていく。
ホース２０に水道水が供給されていくと、ストッパー２３の働きによってホース２０内に水がたまっていくため内部の水圧が高まり、その結果、水がホース２０の周面に形成された小孔２１より噴出する。
【００２５】
ホース２０から噴出した水は、室外機５０に向かって放出されるが、一定距離を有しているため確実にフィン５４に衝突するのである。
そして、フィン５４に衝突した水はフィン５４を冷却し、一部は気化して熱を奪うため、吸気口５１からは冷たい空気が吸い込まれて熱交換器５３との間で熱交換されるのである。
すなわち、空冷のフィン５４が外気を吸い込んだとき、その前面の枠体１０に設けたホース２０から全面的に放水するとフィン５４の放熱効率が上昇し、それと反比例して熱交換器５３内の冷媒ガスの熱が下がっていくのである。
【００２６】
水の散布による熱交換効率の向上をできるだけ大きくするためには、散布した水によってフィン５４を一様にできるだけ広く濡らす必要がある。そのため、本実施形態では、多数の小孔２１から加圧された水道水を細い水流で勢いよく噴出させることで、その目的を達成しているのである。
【００２７】
上記のように構成され作用する本実施形態によれば、水道６０から直接水を供給するためポンプを設ける必要がなく、熱交換器５３の駆動時間を短縮することができ電力消費量を削減できると共に、凝縮圧力を低下させ、消費電力を低下させるようにすることができる。本考案者の実験では、室外機の冷却能力の圧力が２０ｋｇから１３ｋｇに下がることが確認された。
さらには、水は、霧状でなくホースより水流となって噴出するから、屋上のように風が強い場所でも、風の影響を受けることが少なく良好な作動状態を得ることができる。
【００２８】
本実施形態は、井桁状に組んだ枠体１０に取り付けたホース２０によって、フィン５４の全面にわたり放熱効果をあげることができ、最小の費用で最大の効果をあげることができる。
また、水の量、散布の範囲の測定等を感知するセンサーを設けて制御弁で上から下降へ水の流れる時間を調整する必要がないというメリットもある。
【００２９】
前記不純物除去装置７０の働きによって、水道水に含まれる不純物を除去して、噴出した水に含まれる不純物がフィン５４に付着することを防止できる。
【００３０】
本考案の実施形態２を図５に示す。この実施形態は、電磁弁４０を、ホース２０と水道６０の間のパイプ３０に取り付けたものである。
本実施形態では、室外機５０と熱交換器５３の作動時のみ、電磁弁４０の弁が開いてパイプ３０から水が送られていくのである。
また、外気が予め定めた設定温度を超えたときに、電磁弁４０に内蔵したサーモスタットが作動して電磁弁４０が開き水が流れ、外気が設定温度より低くなると電磁弁４０が閉まるように設定することもできる。
さらには、電磁弁４０に内蔵したタイマーによって、予め一定時間を設定しておき、室外機５０の作動中に、この一定時間だけ電磁弁４０をオンに設定することもできる。
このような電磁弁４０の作用により、装置の作動に無駄がなく、水を無駄に使用することがなく省エネルギー効果を有する。
その他の構成、作用、効果は前述の実施形態１と同様であるので、説明を省略する。
【符号の説明】
【００３１】
１  室外機用冷却装置
１１  横棒
１２  縦棒
１３  縦棒
２０  ホース
２１  小孔
２２  補強材
２３  ストッパー
３０  パイプ
４０  電磁弁
５０  室外機
５１  吸気口
５２  排気口
５３  熱交換器
５４  フィン
５５  ファン
７０  不純物除去装置
【図１】
0003175348.tif 000003
【図２】
0003175348.tif 000004
【図３】
0003175348.tif 000005
【図４】
0003175348.tif 000006
【図５】
0003175348.tif 000007